(57)【要約】  第1の装置は、少なくとも2つのサブスロット内で、第1のタイプのデータまたは制御情報を第2のタイプのデータまたは制御情報を刺し込み得る。第1の装置は、サブフレーム内の少なくとも2つのサブスロットをバンドルし得、サブフレームは、第2のタイプのデータまたは制御情報に関連する肯定応答(ACK)/否定応答(NACK)情報を搬送するための部分を含み得る。第1の装置は、サブフレーム内の少なくとも2つのサブスロットの間にユーザ機器(UE)と通信し得る。第2の装置は、第2のタイプのデータまたは制御情報に関連するACK/NACK情報を受信し得る。第2の装置は、ACK/NACK情報が否定応答を示すとき、後続のサブフレームの間に第1のタイプのデータまたは制御情報に対する送信電力を低減し得る。
2020502903.tif 000002
【特許請求の範囲】
【請求項１】
基地局によるワイヤレス通信の方法であって、
少なくとも2つのサブスロット内で、第1のタイプのデータまたは制御情報に第2のタイプのデータまたは制御情報を刺し込むステップと、
サブフレーム内の前記少なくとも2つのサブスロットをバンドルするステップであって、前記サブフレームが、前記第2のタイプのデータまたは制御情報に関連する肯定応答(ACK)/否定応答(NACK)情報を搬送するための部分を含む、ステップと、
前記サブフレーム内でバンドルされた前記少なくとも2つのサブスロットの間にユーザ機器(UE)と通信するステップとを含む、方法。
【請求項２】
前記バンドルされた少なくとも2つのサブスロット内で搬送される前記第2のタイプのデータまたは制御情報に関連するACK/NACK情報を受信するステップをさらに含む、請求項1に記載の方法。
【請求項３】
前記ACK/NACK情報が、高度化モバイルブロードバンド(eMBB)アップリンクコモンバーストチャネル上で搬送される、請求項2に記載の方法。
【請求項４】
前記ACK/NACK情報が否定応答を示すとき、前記第2のタイプのデータまたは制御情報を再スケジュールするステップと、
前記再スケジュールされた第2のタイプのデータまたは制御情報を送るステップとをさらに含む、請求項2に記載の方法。
【請求項５】
前記第2のタイプのデータまたは制御情報に関連する前記ACK/NACK情報を搬送するための前記部分の構成を示す情報を隣接する基地局に送るステップをさらに含む、請求項1に記載の方法。
【請求項６】
前記第1のタイプのデータがeMBBに関連付けられ、前記第2のタイプのデータが超高信頼低遅延(URLLC)に関連付けられる、請求項1に記載の方法。
【請求項７】
基地局によるワイヤレス通信の方法であって、
第2のタイプのデータまたは制御情報に関連する肯定応答(ACK)/否定応答(NACK)情報を受信するステップと、
前記ACK/NACK情報が否定応答を示すとき、後続のサブフレームの間に第1のタイプのデータまたは制御情報に対する送信電力を低減するステップとを含む、方法。
【請求項８】
前記送信電力の前記低減が、
前記後続のサブフレームの間に前記第1のタイプのデータまたは制御情報の送信を譲歩するステップを含む、請求項7に記載の方法。
【請求項９】
前記ACK/NACK情報を搬送するためのサブフレームの部分の構成を示す情報を隣接する基地局から受信するステップをさらに含む、請求項7に記載の方法。
【請求項１０】
前記ACK/NACK情報が、高度化モバイルブロードバンド(eMBB)アップリンクコモンバーストチャネル上で搬送される、請求項7に記載の方法。
【請求項１１】
前記第1のタイプのデータがeMBBに関連付けられ、前記第2のタイプのデータが超高信頼低遅延(URLLC)に関連付けられる、請求項7に記載の方法。
【請求項１２】
ユーザ機器(UE)によるワイヤレス通信の方法であって、
サブフレーム内でバンドルされた少なくとも2つのサブスロット内で搬送される第2のタイプのデータまたは制御情報を受信するステップであって、前記第2のタイプのデータまたは制御情報が第1のタイプのデータまたは制御情報内に刺し込まれ、前記サブフレームが前記第2のタイプのデータまたは制御情報に関連する肯定応答(ACK)/否定応答(NACK)情報を搬送するための部分を含む、ステップと、
前記バンドルされた少なくとも2つのサブスロット内で搬送される前記第2のタイプのデータまたは制御情報に対するACK/NACK情報を決定するステップと、
ACK/NACK情報を搬送するための前記サブフレームの前記部分の間に前記ACK/NACK情報を送るステップとを含む、方法。
【請求項１３】
前記ACK/NACK情報が否定応答を示すとき、再スケジュールされたサブスロットの間に前記第2のタイプのデータまたは制御情報を受信するステップをさらに含む、請求項12に記載の方法。
【請求項１４】
前記ACK/NACK情報が、高度化モバイルブロードバンド(eMBB)アップリンクコモンバーストチャネル上で搬送される、請求項12に記載の方法。
【請求項１５】
前記第1のタイプのデータがeMBBに関連付けられ、前記第2のタイプのデータが超高信頼低遅延(URLLC)に関連付けられる、請求項12に記載の方法。
【請求項１６】
基地局によるワイヤレス通信のための装置であって、
メモリと、
前記メモリに結合された少なくとも1つのプロセッサとを備え、前記プロセッサが、
少なくとも2つのサブスロット内で、第1のタイプのデータまたは制御情報に第2のタイプのデータまたは制御情報を刺し込むことと、
サブフレーム内の前記少なくとも2つのサブスロットをバンドルすることであって、前記サブフレームが、前記第2のタイプのデータまたは制御情報に関連する肯定応答(ACK)/否定応答(NACK)情報を搬送するための部分を含む、バンドルすることと、
前記サブフレーム内でバンドルされた前記少なくとも2つのサブスロットの間にユーザ機器(UE)と通信することとを行うように構成される、装置。
【請求項１７】
前記少なくとも1つのプロセッサが、
前記バンドルされた少なくとも2つのサブスロット内で搬送される前記第2のタイプのデータまたは制御情報に関連するACK/NACK情報を受信するようにさらに構成される、請求項16に記載の装置。
【請求項１８】
前記ACK/NACK情報が、高度化モバイルブロードバンド(eMBB)アップリンクコモンバーストチャネル上で搬送される、請求項17に記載の装置。
【請求項１９】
前記少なくとも1つのプロセッサが、
前記ACK/NACK情報が否定応答を示すとき、前記第2のタイプのデータまたは制御情報を再スケジュールすることと、
前記再スケジュールされた第2のタイプのデータまたは制御情報を送ることとを行うようにさらに構成される、請求項17に記載の装置。
【請求項２０】
前記少なくとも1つのプロセッサが、
前記第2のタイプのデータまたは制御情報に関連する前記ACK/NACK情報を搬送するための前記部分の構成を示す情報を隣接する基地局に送るようにさらに構成される、請求項16に記載の装置。
【請求項２１】
前記第1のタイプのデータがeMBBに関連付けられ、前記第2のタイプのデータが超高信頼低遅延(URLLC)に関連付けられる、請求項16に記載の装置。
【請求項２２】
前記少なくとも1つのプロセッサが、
別のセル上で動作する別のUEに関連する肯定応答(ACK)/否定応答(NACK)情報を受信することと、
前記ACK/NACK情報が否定応答を示すとき、後続のサブフレームの間に前記第1のタイプのデータまたは制御情報に対する送信電力を低減することとを行うようにさらに構成される、請求項16に記載の装置。
【請求項２３】
前記送信電力の前記低減が、
前記後続のサブフレームの間に前記第1のタイプのデータまたは制御情報の送信を譲歩することを含む、請求項22に記載の装置。
【請求項２４】
前記少なくとも1つのプロセッサが、
前記ACK/NACK情報を搬送するためのサブフレームの部分の構成を示す情報を隣接する基地局から受信するようにさらに構成される、請求項22に記載の装置。
【請求項２５】
前記ACK/NACK情報が、高度化モバイルブロードバンド(eMBB)アップリンクコモンバーストチャネル上で搬送される、請求項22に記載の装置。
【請求項２６】
前記第1のタイプのデータがeMBBに関連付けられ、前記第2のタイプのデータが超高信頼低遅延(URLLC)に関連付けられる、請求項22に記載の装置。
【発明の詳細な説明】
【技術分野】
【０００１】
関連出願の相互参照
本出願は、その全体が参照により本明細書に明確に組み込まれている、2016年12月16日に出願された「SUBSLOT BUNDLING AND ACKNOWLEDGEMENT」と題する米国仮出願第62/435,518号、および2017年10月20日に出願された「SUBSLOT BUNDLING AND ACKNOWLEDGEMENT」と題する米国特許出願第15/789,489号の利益を主張する。
【０００２】
本開示は、一般に通信システムに関し、より詳細にはサブスロットをバンドルするように構成された基地局に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格は、ロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通じて、モバイルブロードバンドアクセスをサポートするように設計されている。しかしながら、モバイルブロードバンドアクセスに対する需要が増大し続けるにつれて、LTE技術におけるさらなる改善が必要である。これらの改善は、他の多元接続技術、およびこれらの技術を採用する電気通信規格にも適用可能であり得る。
【０００５】
LTEに対する改善の例には、第5世代ワイヤレスシステムおよびモバイルネットワーク(5G)があり得る。5Gは、LTEおよび/または4G規格を超え得る電気通信規格である。たとえば、5Gはより大きな容量を提供し得るので、あるエリアの中でより多数のユーザにサービスすることができる。さらに、5Gはデータ消費量およびデータ速度を高めることができる。
【発明の概要】
【課題を解決するための手段】
【０００６】
以下は、1つまたは複数の態様の基本的理解を可能にするために、そのような態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
本開示のある態様では、第1の方法、第1のコンピュータ可読媒体、および第1の装置が提供される。第1の装置は、少なくとも2つのサブスロット内で、第1のタイプのデータまたは制御情報を第2のタイプのデータまたは制御情報を刺し込み得る(puncture)。第1の装置は、サブフレーム内の少なくとも2つのサブスロットをバンドルし得、サブフレームは、第2のタイプのデータまたは制御情報に関連する肯定応答(ACK)/否定応答(NACK)情報を搬送するための部分を含み得る。第1の装置は、サブフレーム内の少なくとも2つのサブスロットの間にユーザ機器(UE)と通信し得る。
【０００８】
本開示の別の態様では、第2の方法、第2のコンピュータ可読媒体、および第2の装置が提供される。第2の装置は、第2のタイプのデータまたは制御情報に関連するACK/NACK情報を受信し得る。第2の装置は、ACK/NACK情報が否定応答を示すとき、後続のサブフレームの間に第1のタイプのデータまたは制御情報に対する送信電力を低減し得る。
【０００９】
本開示の別の態様では、第3の方法、第3のコンピュータ可読媒体、および第3の装置が提供される。第3の装置は、サブフレーム内でバンドルされた少なくとも2つのサブスロット内で搬送される第2のタイプのデータまたは制御情報を受信し得、第2のタイプのデータまたは制御情報は、第1のタイプのデータまたは制御情報内に刺し込まれ得る。サブフレームは、第2のタイプのデータまたは制御情報に関連するACK/NACK情報を搬送するための部分を含み得る。第3の装置は、バンドルされた少なくとも2つのサブスロット内で搬送される第2のタイプのデータまたは制御情報に対するACK/NACK情報を決定し得る。第3の装置は、ACK/NACK情報を搬送するためのサブフレームの部分の間にACK/NACK情報を送り得る。
【００１０】
上記の関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの均等物を含むよう意図される。
【図面の簡単な説明】
【００１１】
【図１】ワイヤレス通信システムおよびアクセスネットワークの例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワークの中の基地局およびユーザ機器(UE)の例を示す図である。
【図４】ワイヤレス通信システムの図である。
【図５】サブフレーム構造の図である。
【図６】サブスロット構成の図である。
【図７】サブスロット構成の図である。
【図８】サブスロット構成の図である。
【図９】ワイヤレス通信の方法のフローチャートである。
【図１０】ワイヤレス通信の方法のフローチャートである。
【図１１】ワイヤレス通信の方法のフローチャートである。
【図１２】例示的な装置の中の異なる手段/構成要素間のデータフローを示す概念データフロー図である。
【図１３】処理システムを採用する装置のためのハードウェア実装形態の例を示す図である。
【図１４】例示的な装置の中の異なる手段/構成要素間のデータフローを示す概念データフロー図である。
【図１５】処理システムを採用する装置のためのハードウェア実装形態の例を示す図である。
【図１６】例示的な装置の中の異なる手段/構成要素間のデータフローを示す概念データフロー図である。
【図１７】処理システムを採用する装置のためのハードウェア実装形態の例を示す図である。
【発明を実施するための形態】
【００１２】
添付の図面に関して以下に記載する詳細な説明は、様々な構成について説明するよう意図されたものであり、本明細書で説明する概念が実践されてもよい唯一の構成を表すよう意図されていない。詳細な説明は、様々な概念の完全な理解を与える目的で、具体的な詳細を含む。しかしながら、これらの概念はこれらの具体的な詳細がなくても実践され得ることが、当業者には明らかであろう。いくつかの事例では、そのような概念を不明瞭にすることを回避するために、よく知られている構造および構成要素がブロック図の形態で示される。
【００１３】
以下で、電気通信システムのいくつかの態様が、様々な装置および方法を参照して提示される。これらの装置および方法は、以下の詳細な説明において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるのか、それともソフトウェアとして実装されるのかは、具体的な適用例および全体的なシステムに課された設計制約に依存する。
【００１４】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセスされ得る命令もしくはデータ構造の形態のコンピュータ実行可能コードを記憶するために使用され得る任意の他の媒体を備え得る。
【００１６】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含む場合がある。マクロセルはeNBを含む。スモールセルは、フェムトセルと、ピコセルと、マイクロセルとを含む。
【００１７】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実施することができる。基地局102は、バックホールリンク134(たとえば、X2インターフェース)上で互いに直接的または(たとえば、EPC160を介して)間接的に通信することができる。バックホールリンク134は有線またはワイヤレスであり得る。
【００１８】
基地局102はUE104とワイヤレスに通信することができる。基地局102の各々は、それぞれの地理的カバレッジエリア110に通信カバレッジを提供し得る。重複する地理的カバレッジエリア110が存在することがある。たとえば、スモールセル102'は、1つまたは複数のマクロ基地局102のカバレッジエリア110と重複するカバレッジエリア110'を有することがある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含む場合がある。通信リンク120は、空間多重化、ビームフォーミング、および/または送信ダイバーシティを含む、MIMOアンテナ技術を使用することができる。通信リンクは、1つまたは複数のキャリアを介する場合がある。基地局102/UE104は、各方向における送信用に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用してもよい。キャリアは、互いに隣接することも、隣接しないこともある。キャリアの割振りは、DLおよびULに関して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００１９】
ワイヤレス通信システムは、5GHzのアンライセンス周波数スペクトルにおいて通信リンク154を介してWi-Fi局(STA)152と通信しているWi-Fiアクセスポイント(AP)150をさらに含むことがある。アンライセンス周波数スペクトル内で通信するとき、STA152/AP150は、チャネルが利用可能であるかどうかを決定するために、通信するより前にクリアチャネルアセスメント(CCA)を実施することができる。
【００２０】
スモールセル102'は、ライセンス周波数スペクトルおよび/またはアンライセンス周波数スペクトルにおいて動作し得る。アンライセンス周波数スペクトルにおいて動作しているとき、スモールセル102'は、LTEを利用し、Wi-Fi AP150によって使用されるのと同じ5GHzアンライセンス周波数スペクトルを使用することができる。アンライセンス周波数スペクトルにおいてLTEを利用するスモールセル102'は、アクセスネットワークへのカバレッジを拡大し、かつ/またはアクセスネットワークの容量を増やすことができる。アンライセンススペクトルにおけるLTEは、LTEアンライセンス(LTE-U)、ライセンス補助アクセス(LAA)、またはMuLTEfireと呼ばれる場合がある。
【００２１】
ワイヤレス通信システムおよびアクセスネットワーク100は、基地局180を含み得、基地局180はミリメートル波(mmW)基地局であり得る。一態様では、mmW基地局180は、セルラー基地局、eNBなど、別の基地局と統合され得る。mmW基地局180は、UE182と通信するときにmmW周波数および/または準mmW周波数(near mmW frequency)で動作することがある。極高周波数(EHF:extremely high frequency)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短い範囲を補償するために、UE182に対してビームフォーミング184を利用することができる。
【００２２】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンタ(BM-SC)170と、パケットデータネットワーク(PDN)ゲートウェイ172とを含む場合がある。MME162は、ホーム加入者サーバ(HSS)174と通信している場合がある。MME162は、UE104とEPC160との間のシグナリングを処理する制御ノードである。概して、MME162はベアラと接続管理とを提供する。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供することができる。BM-SC170は、コンテンツプロバイダMBMS送信のためのエントリポイントとして働く場合があり、公的地域モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするマルチキャストブロードキャスト単一周波数ネットワーク(MBSFN)エリアに属する基地局102にMBMSトラフィックを配信するために使用される場合があり、セッション管理(開始/停止)およびeMBMS関係の課金情報を収集することに関与する場合がある。
【００２３】
基地局は、Node B、evolved Node B(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスが含まれる。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００２４】
再び図1を参照すると、いくつかの態様では、第1の基地局102は第2の基地局180に隣接し得る。結果として、第2の基地局180は、UE104と第1の基地局102との間の通信に対する干渉を引き起こす場合がある。たとえば、第2の基地局180は、第1の基地局102からのダウンリンク送信に応答してUE104によって第1の基地局102に通信される肯定応答(ACK)/否定応答(NACK)情報に対する干渉を引き起こす場合がある。それゆえ、第1の基地局102とUE104との間の通信は、干渉を緩和する1つまたは複数の動作から利益を得る場合がある。
【００２５】
様々な態様では、第1の基地局102は、複数のサブスロットを含むサブスロット構成を有するサブフレームを構成し得、各サブスロットは、各サブフレーム内に含まれるシンボルの数より少ない数のシンボル(たとえば、持続時間)を有し得る。各サブフレームは、ACK/NACK情報を搬送するための部分を含み得る。態様では、第1の基地局102は、サブフレーム内に含まれる少なくとも2つのサブスロット内で、第1のタイプのデータまたは制御情報に第2のタイプのデータまたは制御情報を刺し込み得る(puncture)。たとえば、第1の基地局102は、サブフレーム内に含まれる少なくとも2つのサブスロット内で、高度化モバイルブロードバンド(eMBB: Enhanced Mobile Broadband)に関連するデータまたは制御情報に超高信頼低遅延(URLLC: Ultra-Reliable and Low Latency Communications)に関連するデータまたは制御情報を刺し込み得る。態様では、第1の基地局102は、サブフレーム内で少なくとも2つのサブスロットをバンドルし得、サブフレームのACK/NACK部分は、バンドルされた少なくとも2つのサブスロット198内で搬送される第2のタイプのデータまたは制御情報に関連するACK/NACK情報を搬送するために使用され得る。一態様では、第1の基地局102は、バンドルされた少なくとも2つのサブスロット198の間に第2のタイプのデータまたは制御情報をUE104と通信し得る。
【００２６】
態様では、UE104は、バンドルされたサブスロット198の間に第2のタイプのデータまたは制御情報を受信し得る。UE104は、バンドルされた少なくとも2つのサブスロット198内で搬送される第2のタイプのデータまたは制御情報に対するACK/NACK情報を決定し得る。たとえば、バンドルされたサブスロット198内で搬送される第2のタイプのデータまたは制御情報をUE104が正常に復号できるとき、UE104はACKを決定し得る。しかしながら、バンドルされたサブスロット198内で搬送される第2のタイプのデータまたは制御情報をUE104が正常に復号できないとき、UE104はNACKを決定し得る。次いで、UE104は、ACK/NACK情報を搬送するためのサブフレームの部分の間にACK/NACK情報を送り得る。一態様では、UE104は、アップリンクコモンバースト(UCB)チャネル上でACK/NACK情報を送り得、UCBチャネルは、いくつかの態様では、eMBB UCBチャネルとしても知られていることがある。
【００２７】
第1の基地局102が、バンドルされた少なくとも2つのサブスロット198内で搬送される第2のタイプのデータまたは制御情報に関連するNACKを受信するとき、第1の基地局102は、たとえば、UE104がバンドルされたサブスロット198内で搬送される第2のタイプのデータまたは制御情報を復号できなかったので第2のタイプのデータまたは制御情報はUE104に再送信されるべきであると決定し得る。それに応じて、第1の基地局102は、第2のタイプのデータまたは制御情報を再スケジュールし、再スケジュールされた第2のタイプのデータまたは制御情報をUE104に送り得る。
【００２８】
UE104によって送られるACK/NACK情報は第1の基地局102に宛てられているが、たとえば、第2の基地局180は第1の基地局102および/またはUE104に近いために、第2の基地局180も、UE104からのACK/NACK情報を受信し得る。ACK/NACK情報の受信に基づいて、第2の基地局180は、後続のサブフレームの間に第1のタイプのデータまたは制御情報(たとえば、eMBBデータまたは制御情報)に対する送信電力を低減するように構成され得る。たとえば、ACK/NACK情報は否定応答を示す場合があり、それゆえ、たとえば、通常ならば第2のタイプのデータまたは制御情報が第1の基地局102によってUE104に再送信されるときに第2の基地局180がもたらすことがある干渉を緩和するために、第2の基地局180は、後続のサブフレームの間に(たとえば、第1の基地局102が再スケジュールされた第2のタイプのデータまたは制御情報を送信するときに)送信電力を低減し得る。一態様では、第2の基地局180は、第1のタイプのデータまたは制御情報の送信を譲歩(yield)することによって送信電力を低減し得る(たとえば、第2の基地局180は、第1の基地局102が第2のタイプのデータまたは制御情報を再送信するまで第1のタイプのデータまたは制御情報の送信を遅延し得る)。
【００２９】
第2の基地局180がUE104からのACK/NACK情報を検出するために、第1の基地局102は、ACK/NACK構成に関連する情報を第2の基地局180に送り得る。第1の基地局102は、バックホールリンク134を使用して(たとえば、X2インターフェースを介して)構成を示す情報を送り得る。
【００３０】
それに応じて、第1の基地局102は、第2のタイプのデータまたは制御情報に関連するACK/NACK情報を搬送するための部分の構成を示す情報を第2の基地局180に送り得る。構成を示す情報は、たとえば、ACK/NACK情報がそれらのリソース上で搬送され得る1つまたは複数のリソースの表示を含み得る。たとえば、第1の基地局102は、ACK/NACK情報がそれらのシンボルの間に搬送され得る1つまたは複数のシンボル(たとえば、サブフレームの最後のシンボル)を示す情報を第2の基地局180に示し得る。一態様では、第1の基地局102は、UCBチャネルなど、ACK/NACK情報がそのチャネル上で搬送されるべきであるチャネルを第2の基地局180に示し得る。
【００３１】
図2Aは、LTEにおけるDLフレーム構造の例を示す図200である。図2Bは、LTEにおけるDLフレーム構造内のチャネルの例を示す図230である。図2Cは、LTEにおけるULフレーム構造の例を示す図250である。図2Dは、LTEにおけるULフレーム構造内のチャネルの例を示す図280である。他のワイヤレス通信技術は、異なるフレーム構造および/または異なるチャネルを有することがある。LTEでは、フレーム(10ms)は、10個の等しいサイズのサブフレームに分割されることがある。各サブフレームは、2つの連続するタイムスロットを含むことがある。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。LTEでは、ノーマルサイクリックプレフィックスの場合、RBは、合計で84個のREについて、周波数領域に12個の連続するサブキャリアを含み、時間領域に7つの連続するシンボル(DLの場合はOFDMシンボル、ULの場合はSC-FDMAシンボル)を含む。拡張サイクリックプレフィックスの場合、RBは、合計で72個のREについて、周波数領域に12個の連続するサブキャリアを含み、時間領域に6個の連続するシンボルを含む。各REによって搬送されるビット数は変調方式に依存する。
【００３２】
図2Aに示されるように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号を決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスター情報ブロック(MIB)を搬送する。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通じて送信されないブロードキャストシステム情報と、ページングメッセージとを搬送する。
【００３３】
図2Cに示されるように、REのうちのいくつかは、eNBにおけるチャネル推定のための復調基準信号(DM-RS)を搬送する。UEは追加で、サブフレームの最終シンボルにおいてサウンディング基準信号(SRS)を送信することがある。SRSはコム構造を有することがあり、UEは、コムのうちの1つの上でSRSを送信することがある。SRSは、eNBによって、UL上での周波数依存スケジューリングを可能にするために、チャネル品質推定のために使用されることがある。図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００３４】
図3は、アクセスネットワーク内で基地局310がUE350と通信しているブロック図である。一態様では、基地局310は、eNBなどのマクロセルを提供する基地局であり得る。別の態様では、基地局310は、mmW基地局であり得る。さらに別の態様では、基地局310は、マクロセルを提供する基地局などの別の基地局と統合されたmmW基地局を含み得る。DLでは、EPC160からのIPパケットがコントローラ/プロセッサ375に供給される場合がある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００３５】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用される場合がある。チャネル推定値は、UE350によって送信された基準信号および/またはチャネル状態フィードバックから導出されることがある。各空間ストリームは、次いで、別個の送信機318TXを介して異なるアンテナ320に提供されることがある。各送信機318TXは、送信のためにそれぞれの空間ストリームでRFキャリアを変調することがある。
【００３６】
UE350において、各受信機354RXは、受信機のそれぞれのアンテナ352を通して信号を受信する。各受信機354RXは、RFキャリア上に変調された情報を復元し、その情報を受信(RX)プロセッサ356に供給する。TXプロセッサ368およびRXプロセッサ356は、様々な信号処理機能に関連するレイヤ1機能を実装する。RXプロセッサ356は、UE350に宛てられた任意の空間ストリームを復元するために、情報に対して空間処理を実施することができる。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMシンボルストリームを時間領域から周波数領域に変換する。周波数領域信号は、OFDM信号のサブキャリアごとに別々のOFDMシンボルストリームを備える。各サブキャリア上のシンボルおよび基準信号は、基地局310によって送信される、可能性が最も高い信号のコンスタレーションポイントを決定することによって復元および復調される。これらの軟決定は、チャネル推定器358によって算出されたチャネル推定値に基づく場合がある。軟判定は、次いで、物理チャネル上で基地局310によって最初に送信されたデータおよび制御信号を復元するために復号およびデインターリーブされる。データおよび制御信号は、次いで、レイヤ3およびレイヤ2の機能を実装するコントローラ/プロセッサ359に提供される。
【００３７】
コントローラ/プロセッサ359は、プログラムコードとデータとを記憶するメモリ360と関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、HARQ動作をサポートするために、ACKおよび/またはNACKプロトコルを使用する誤り検出に関与する。
【００３８】
基地局310によるDL送信に関して説明された機能と同様に、コントローラ/プロセッサ359は、システム情報(たとえば、MIB、SIB)獲得、RRC接続、および測定報告と関連付けられるRRCレイヤ機能と、ヘッダ圧縮/解凍およびセキュリティ(暗号化、解読、完全性保護、完全性検証)と関連付けられるPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先順位付けと関連付けられるMACレイヤ機能とを提供する。
【００３９】
基地局310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用され得る。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００４０】
UL送信は、UE350における受信機機能に関して記載された方式と同様の方式で、基地局310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００４１】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に供給される場合がある。コントローラ/プロセッサ375はまた、ACKおよび/またはNACKプロトコルを使用してHARQ動作をサポートする誤り検出に関与する。
【００４２】
図4は、ワイヤレス通信システム400の図である。ワイヤレス通信システム400は、複数の基地局402、404を含み得、各々は、それぞれのセル410、412を提供するように構成される。基地局402、404の各々は、それぞれのセル410、412上で動作する1つまたは複数のUE406a、406b、406c、406d、408と通信するように構成され得る。
【００４３】
一態様では、第1の基地局402は、少なくとも2つのタイプのトラフィック、すなわちeMBBトラフィックであり得る第1のタイプのトラフィックおよびURLLCトラフィックであり得る第2のタイプのトラフィックを通信するように構成され得る。図示された態様では、第1の基地局402は、URLLCに従って第1のUE408と通信し得、加えて、eMBBに従って第2のUE406aと通信し得る。第2の基地局404は、少なくともeMBBに従って第3および第4のUE406c、406dと通信するように構成され得る。1つまたは複数の3GPP技術仕様によれば、URLLCとeMBBの両方は、5G技術と見なされ得、すなわち、5G RATはURLLC技術およびeMBB技術を含み得る。
【００４４】
一態様では、第1のタイプのトラフィック(たとえば、eMBB)と第2のタイプのトラフィック(たとえば、URLLC)の両方のために使用されるサブフレーム構造が同期され得る。たとえば、第1のタイプのトラフィック(たとえば、eMBB)および第2のタイプのトラフィック(たとえば、URLLC)に対するサブフレーム境界が同期され得、第1のタイプのトラフィックおよび第2のタイプのトラフィックは同じヌメロロジー(たとえば、14であり得る参照ヌメロロジー)を有し得る。さらに、第1のタイプのトラフィックと第2のタイプのトラフィックの両方に対するサブフレーム構造は、データまたは制御情報に対する第1の部分(たとえば、12個のシンボル)、1つのギャップである第2の部分(たとえば、1シンボルギャップ)、およびサブフレーム構造の終端におけるACK/NACK情報を搬送する第3の部分(たとえば、UCBチャネルを搬送するための1シンボル部分)を含めて同じであり得る。第2の部分は、同期されたサブフレーム構造内の第1の部分と第3の部分との間に発生し得る。
【００４５】
一態様では、基地局402、404は、少なくとも1サイクリックプレフィックス(CP)オーバーヘッド内でニューラジオ(NR)フレーム構造を使用するように構成され得る。NRフレーム構造の説明は例と見なされるべきであり、本開示は、本明細書で説明する構造または構成に加えて他の構造または構成を包含する。
【００４６】
一態様では、サブフレーム定義に対する参照ヌメロロジーは14であり得る。すなわち、基地局402、404は、14個のシンボルを含むサブフレームの間に通信するように構成され得る。
【００４７】
一態様では、NRフレーム構造は、サブフレームに対する参照ヌメロロジーより少ない持続時間のスロットを含む場合がある(たとえば、スロット当たりのシンボルの数は、サブフレーム当たりのシンボルの数より少ない場合がある)。一態様では、スロットの整数の数は、(たとえば、少なくとも、参照ヌメロロジー以上であるサブキャリア間隔に対する)1つのサブフレーム持続時間内に適合し得る。一態様では、そのようなスロット構造は、スロットの始端、終端、または始端と終端の両方における制御情報に対処し得る。スロット構成は、1つまたは複数の基地局402、404によって観測される1つの可能なスケジューリング単位であり得る。
【００４８】
一態様では、NRフレーム構造はサブスロット構成を含み得、サブスロット構成は、「ミニスロット」または送信時間間隔(TTI)に関連する別の命名規則としても知られていることがある。サブスロット構成は、参照ヌメロロジー(ならびにスロットヌメロロジー)より短い送信時間または送信間隔をサポートし得る。たとえば、サブフレームに対する参照ヌメロロジーは、14である場合があり、サブスロットに対するヌメロロジーは、14より小さい場合がある(および、同じくスロットヌメロロジーより小さい場合がある)。一態様では、サブスロットは、1つまたは複数の基地局402、404によって観測される最小のスケジューリング単位であり得る。一態様では、サブスロット構成は、制御情報がサブスロットの始端、サブスロットの終端、またはサブスロットの始端と終端の両方において発生し得ることを示し得る。一態様では、スロット構造およびサブスロット構造は、マージされる場合がある。別の態様では、スロット構成がない場合がある。
【００４９】
図示のように、第1の基地局402は、URLLCに関連する第2のタイプのデータおよび/または制御情報を通信し得る。一態様では、URLLCデータおよび/または制御情報は予測可能(たとえば、周期的)である場合があり、その場合には、少なくとも1つの半静的リソースが、eMBB情報を有するURLLCコンテンツの周波数分割多重(FDM)または時分割多重(TDM)に対して保有され得る。一態様では、URLLCデータおよび/または制御情報は、ほとんど予測できない(たとえば、散在的である)場合があり、その場合には、第1の基地局402は、eMBB情報にURLLCデータおよび/または制御情報を刺し込むように構成され得る。URLLC技術は、パケット配信が厳しいレイテンシ制約および/または比較的低いパケット誤り率で発生することを要求する場合がある。それゆえ、共存に起因する他のRATからの干渉が、URLLCの性能に対して有害な結果をもたらす場合がある。URLLCデータおよび/または制御情報は、eMBBデータおよび/または制御情報より優先され得、それゆえ、第1の基地局402は、セル間干渉(たとえば、隣接するセル内のトラフィックによって引き起こされる干渉)を緩和するために1つまたは複数の動作を実行してURLLCアプリケーションの品質を改善し得る。
【００５０】
第1の基地局402は、第2の基地局404の近隣である場合がある。たとえば、第2の基地局404は、第1の基地局402に隣接する場合がある。結果として、第2の基地局404は、第1のUE408と第1の基地局402との間の通信に対する干渉を引き起こす場合がある。たとえば、第2の基地局404は、第1の基地局402からのダウンリンク送信に応答して第1のUE408によって第1の基地局402に通信されるACK/NACK情報に対する干渉を引き起こす場合がある。それゆえ、第1の基地局402と第1のUE408との間の通信は、干渉を緩和する、第2の基地局404による1つまたは複数の動作から利益を得る場合がある。
【００５１】
様々な態様では、第1の基地局402は、複数のサブスロットを含むサブスロット構成を有するサブフレームを構成し得る。各サブスロットは、各サブフレーム内に含まれるサブスロットの数より小さい数のシンボル(たとえば、持続時間)を有し得る。各サブフレームは、ACK/NACK情報を搬送するための部分を含み得る。態様では、第1の基地局402は、サブフレーム内に含まれる少なくとも2つのサブスロット内で、第1のタイプのデータまたは制御情報(たとえば、eMBBデータまたは制御情報)に第2のタイプのデータまたは制御情報(たとえば、URLLCデータまたは制御情報)を刺し込み得る。たとえば、第1の基地局402は、サブフレーム内に含まれる少なくとも2つのサブスロット内で搬送されるeMBBに関連するデータまたは制御情報に、URLLCに関連するデータまたは制御情報を刺し込み得る。態様では、第1の基地局402は、サブフレーム内で少なくとも2つのサブスロットをバンドルし得、サブフレームのACK/NACK部分は、バンドルされた少なくとも2つのサブスロット内で搬送される第2のタイプのデータまたは制御情報に関連するACK/NACK情報を搬送するために使用され得る。一態様では、第1の基地局402は、バンドルされたサブスロット198の間に第2のタイプのデータまたは制御情報420を第1のUE408と通信し得る。
【００５２】
態様では、第1のUE408は、少なくとも2つのバンドルされたサブスロットの間に第2のタイプのデータまたは制御情報420を受信し得る。第1のUE408は、バンドルされたサブスロット内で搬送される第2のタイプのデータまたは制御情報420に対するACK/NACK情報を決定し得る。たとえば、第1のUE408は、バンドルされたサブスロットに対するACK/NACK情報422をバンドルし得る(たとえば、ACK/NACK情報422は、第2のタイプのデータまたは制御情報が複数のサブスロット内で搬送され得るとしても、第2のタイプのデータまたは制御情報420に対する肯定応答または否定応答を示し得る)。
【００５３】
一態様では、バンドルされたサブスロット内で搬送される第2のタイプのデータまたは制御情報420を第1のUE408が正常に復号できるとき、第1のUE408はACKを決定し得る。しかしながら、バンドルされたサブスロット内で搬送される第2のタイプのデータまたは制御情報420を第1のUE408が正常に復号できないとき、第1のUE408はNACKを決定し得る。次いで、第1のUE408は、ACK/NACK情報を搬送するために割り振られたサブフレームの部分の間にACK/NACK情報422を送り得る。
【００５４】
第1の基地局402が、バンドルされたサブスロット内で搬送される第2のタイプのデータまたは制御情報420に関連するNACKを示すACK/NACK情報422を受信するとき、第1の基地局402は、たとえば、第1のUE408がバンドルされたサブスロット内で搬送される第2のタイプのデータまたは制御情報420を復号できなかったので第2のタイプのデータまたは制御情報420が第1のUE408に再送信されるべきであると決定し得る。それに応じて、第1の基地局402は、第2のタイプのデータまたは制御情報420を再スケジュールし、再スケジュールされた第2のタイプのデータまたは制御情報424を第1のUE408に、たとえば後続のフレーム内の別のサブスロット内で送り得る。第2のタイプのデータまたは制御情報420はバンドルされたサブスロット内で搬送され得るが、第1の基地局402は、再スケジュールされた第2のタイプのデータまたは制御情報424を1つのサブスロット内で送り得る(たとえば、再スケジュールされた第2のタイプのデータまたは制御情報424は、再スケジュールされた第2のタイプのデータまたは制御情報424に対するビットを搬送するためにより少ないシンボルを使用して通信され得る)。
【００５５】
第1のUE408によって送られるACK/NACK情報422は第1の基地局402に宛てられているが、たとえば、第2の基地局404は第1の基地局402および/または第1のUE408に近いために、第2の基地局404も、第1のUE408からのACK/NACK情報422を受信し得る。一態様では、第1のUE408は、UCBチャネル上でACK/NACK情報422を送り得、UCBチャネルは、いくつかの態様では、eMBB UCBチャネルとしても知られていることがある。したがって、第2の基地局404は、第1のタイプのデータまたは制御情報(たとえば、eMBB)に従って通信するように構成され得、第2のタイプのデータまたは制御情報(たとえば、URLLC)に関連するACK/NACK情報422は第2の基地局404がモニタするように構成されるチャネル上で搬送され得る。
【００５６】
ACK/NACK情報422の受信に基づいて、第2の基地局404は、後続のサブフレーム(たとえば、第2のタイプのデータまたは制御情報420がそれらのサブスロット内で送信されるバンドルされたサブスロットを含むサブフレームの直後の、次のサブフレーム)の間に第1のタイプのデータまたは制御情報442(たとえば、eMBBデータまたは制御情報)に対する送信電力を低減するように構成され得る。たとえば、ACK/NACK情報422はNACKを示してもよく、それゆえ、第2の基地局404がそのサブフレーム内で第1のタイプのデータまたは制御情報442を送信する後続のサブフレームの間に、第2の基地局404は送信電力を低減してもよい(たとえば、電力フォールバックを実行してもよい)。一態様によれば、第2の基地局404は、前に使用された送信電力より低い第2の送信電力を選択することによって送信電力を低減し得る。別の態様では、第2の基地局404は、所定のインクリメントまたは割合だけ前に使用された送信電力を低減することによって送信電力を低減し得る。
【００５７】
一態様では、第1の基地局402は、第2の基地局404による第1のタイプのデータまたは制御情報442の送信と同時に、再スケジュールされた第2のタイプのデータまたは制御情報424を送信し得る。それゆえ、第2の基地局404は、第1のタイプのデータまたは制御情報442の同時送信の間に送信電力を低減し得(たとえば、電力フォールバックを実行し得)、そのことで、第1の基地局402による再スケジュールされた第2のタイプのデータまたは制御情報424の送信に対する干渉が緩和され得る。
【００５８】
別の態様では、第2の基地局404は、第1のタイプのデータまたは制御情報442の送信を譲歩することによって送信電力を低減し得る(たとえば、第2の基地局404は、第1の基地局402が再スケジュールされた第2のタイプのデータまたは制御情報424を送信し終わるまで第1のタイプのデータまたは制御情報442の送信を遅延し得る)。たとえば、第2の基地局404は、ACK/NACK情報422がそのサブフレーム内で搬送されるサブフレームの直後のサブフレームの間、送信を譲歩してもよい。次いで、第2の基地局404は、第2の基地局404がそのサブフレームの間に送信を譲歩したサブフレームに続くサブフレームの間に、第1のタイプのデータまたは制御情報442を送信し得る。
【００５９】
第2の基地局404が第1のUE408からのACK/NACK情報を検出するために、第1の基地局402は、ACK/NACK構成に関連する情報440を第2の基地局404に送り得る。第1の基地局402は、バックホールリンクを使用して(たとえば、X2インターフェースを介して)構成を示す情報440を送り得る。
【００６０】
それに応じて、第1の基地局402は、第2のタイプのデータまたは制御情報に関連するACK/NACK情報422を搬送するための部分の構成を示す情報440を第2の基地局404に送り得る。第2の基地局404はこの情報440を受信し得、それゆえ、第2の基地局404がACK/NACK情報422を検出するためにモニタするべきである1つまたは複数のリソースを決定し得る。
【００６１】
構成を示す情報440は、たとえば、ACK/NACK情報422がそれらのリソース上で搬送され得る1つまたは複数のリソースの表示を含み得る。たとえば、第1の基地局402は、ACK/NACK情報422がそれらのシンボルの間に搬送され得る1つまたは複数のシンボル(たとえば、サブフレームの最後のシンボル)を示す情報440を第2の基地局404に示し得る。一態様では、第1の基地局402は、UCBチャネルなど、ACK/NACK情報がそのチャネル上で搬送されるべきであるチャネルを示す情報440を第2の基地局404に送り得る。
【００６２】
一態様では、第1の基地局402は、全サブフレームを消費しないサブスロットの間に再スケジュールされた第2のタイプのデータまたは制御情報424を送信し得る。それゆえ、第2の基地局404は、サブフレームの部分の間に譲歩してもよく、または電力フォールバックを実行してもよい。次いで、第1の基地局402は、第2の基地局がそのサブフレーム内で送信電力を低減するサブフレームの部分の間に再スケジュールされた第2のタイプのデータまたは制御情報424を送信し得る(たとえば、第2の基地局404がそのサブフレームの間に送信電力を低減するサブフレームの部分と同時に、再スケジュールされた第2のタイプのデータまたは制御情報424を搬送するサブスロットが発生し得る)。
【００６３】
図5は、一態様によるサブフレーム構造500を示す。サブフレーム構造500は、自己完結型サブフレーム510を含み得る。すなわち、自己完結型サブフレーム510は、ACK/NACK情報を搬送するための部分518を含み得る。一態様では、ACK/NACK情報は、UCBチャネル522上で搬送され得る。
【００６４】
態様では、基地局は、自己完結型サブフレーム510の間にURLLCセル508内のコンテンツを通信し得る。URLLCパケット540が(たとえば、上位レイヤから)到来すると、基地局は、eMBBに関連するデータまたは制御情報にURLLCパケット540から導出されるURLLCデータまたは制御情報を刺し込み得る。たとえば、URLLCパケット540からのURLLCデータまたは制御情報は、自己完結型サブフレーム510のURLLC部分514の2つのシンボル内で搬送され得る。URLLC部分514内で搬送されるURLLCコンテンツに対する対応するACK/NACK情報520は、自己完結型サブフレーム510の終端におけるACK/NACK部分518の間に発生し得る。
【００６５】
URLLCは低レイテンシおよび低誤り率の要件に準拠し得るので、URLLCコンテンツは、URLLCパケット540が到来するとすぐに、自己完結型サブフレーム510内に刺し込まれ得る。それゆえ、第1のeMBB部分512aは、eMBBデータまたは制御情報を搬送し得、URLLC部分514は、(たとえば、URLLCパケット540が到来するときに応じて)第1のeMBB部分512aに続いて刺し込まれ得る。URLLCデータまたは制御情報はeMBBデータまたは制御情報内に刺し込まれ得るので、介在するeMBB部分512bは、URLLC部分514とACK/NACK部分518との間に発生し得る。様々な態様では、ギャップ516は、(たとえば、アップリンクとダウンリンクとの間を切替えるために)ACK/NACK情報520の前に付加的に発生し得る。この介在するeMBB部分512bおよび/またはギャップ516は、たとえば、介在するeMBB部分512bの故に、ACK/NACK情報520の通信において遅延をもたらす場合がある。それに応じて、URLLCセルは、バンドルされたサブスロット構成から利益を得る場合がある。
【００６６】
図6は、一態様によるサブスロット構成600を示す。一態様では、eMBB/URLLCセル602(たとえば、第1の基地局402によって設けられた第1のセル410)は、自己完結型サブスロット620を有するサブフレーム608を構成し得る。サブスロット620は、少なくとも、データまたは制御情報を搬送するための第1の部分622と第1の部分622に関連するACK/NACK情報を搬送するための第3の部分626とを含むので、サブスロット620は「自己完結型」と見なされ得る(注記、サブスロット620は、第1の部分と第3の部分との間のギャップである第2の部分624を含み得る)。すなわち、自己完結型サブスロット620は、ACK/NACK情報を搬送するための部分626を含み得る。自己完結型サブスロット620で構成されるサブフレーム608は、たとえば、(たとえば、ダウンリンクとアップリンクとの間を切替えるために)ギャップ614の後ろにUCBチャネルを搬送するための個別の部分616を含み得る。
【００６７】
態様では、基地局は、サブフレーム608の間にeMBB/URLLCセル602内のコンテンツを通信し得る。URLLCパケット640が(たとえば、上位レイヤから)到来すると、基地局は、eMBBに関連するデータまたは制御情報にURLLCパケット640から導出されるURLLCデータまたは制御情報を刺し込み得る。たとえば、URLLCパケット640からのURLLCデータまたは制御情報は、自己完結型サブスロット620の2つのシンボル内で搬送され得る。URLLCは低レイテンシおよび低誤り率の要件に準拠し得るので、URLLCコンテンツは、URLLCパケット640が到来するとすぐに、自己完結型サブスロット620内に刺し込まれ得る。たとえば、サブフレーム608に対して、第1のeMBB部分612aがサブフレームにマッピングされ得、URLLCパケットからのデータまたは制御情報が、サブフレーム内で第1のeMBB部分612aの後ろであるが第2のeMBB部分612bの前に刺し込まれ得る。同じく、第1のeMBB部分612aの後ろであるが第2のeMBB部分612bの前に、第2の部分624(たとえば、ダウンリンクとアップリンクとの間を切替えるためのギャップ)と第1の部分622に関連するACK/NACK情報を搬送する部分626とが存在し得、したがって、自己完結型サブスロット620が形成される。
【００６８】
eMBB/URLLCセル602に隣接し得るeMBBセル604において、eMBBに関連するデータまたは制御情報は、自己完結型サブスロット620と重複する(たとえば、自己完結型サブスロット620と同時に発生する)サブフレーム606の間に通信され得る。eMBBサブフレーム606の間のこのeMBBトラフィックは、自己完結型サブスロット620に対して干渉642を引き起こす場合がある。たとえば、干渉642は、自己完結型サブスロット620の第1の部分622に関連付けられたACK/NACK情報を基地局が受信および/または復号することを妨げる場合がある。それに応じて、URLLC(またはURLLC/eMBB)セルは、URLLCセルのサブスロット構成がバンドルされ、ACK/NACK情報がUCBチャネル630上で搬送されるときに利益を得る場合がある。たとえば、UCBチャネル630上で搬送される、URLLCセル内のACK/NACK情報は、eMBBセル604内で受信され得、送信電力は、後続のサブフレームの送信の間の干渉642を緩和するためにeMBBセル内で低減され得る。
【００６９】
図7は、一態様によるサブスロット構成700を示す。図7は、第1のタイプのトラフィックとしてのeMBBおよび第2のタイプのトラフィックとしてのURLLCの文脈における構成700を示すが、本開示は、マシンタイプ通信(MTC)、エンハンストMTC、または別の5G技術など、異なるタイプのトラフィックを包含する。
【００７０】
様々な態様では、サブフレーム710は、14などの参照ヌメロロジーに基づいてセル(たとえば、第1のセル410、eMBB/URLLCセル602)内に構成され得る。サブフレーム710は、データおよび/または制御情報を搬送するべき部分718と、(たとえば、UCBチャネル上で)ACK/NACK情報を搬送するべき部分726とを、データおよび/または制御情報が搬送される部分718とACK/NACK情報が搬送される部分726との間に発生するギャップ724とともに含み得る。
【００７１】
様々な態様では、URLLCは、迅速な配信を要求する場合がある。それゆえ、URLLCパケットが(たとえば、上位レイヤから)到来すると、URLLC情報は、できるだけ速やかに通信されるべきである。図7では、URLLCパケット740が(たとえば、上位レイヤから)到来し、URLLCパケット740がそのサブフレームの間に到来するのと同じサブフレーム710内にスケジュールされ得る。
【００７２】
一態様では、URLLCパケット740から決定されたデータおよび/または制御情報は、URLLCデータまたは制御情報を速やかにスケジュールするために、基地局によって(たとえば、eMBBデータまたは制御情報を搬送する)部分718のシンボル内に刺し込まれ得る742。次いで、URLLCデータまたは制御情報は、サブスロット722a、722b、722c、722d内で搬送され得、それらのサブスロットは、サブフレーム710の間のバンドル720内に含まれ得る。一態様では、バンドル720は、刺し込み742が始まった後のサブフレームの残りを占有する場合がある(たとえば、介在するeMBB部分612bは存在しない場合がある)。言い換えれば、刺し込み742の後、バンドル720は、ギャップ724までサブフレームの残りを占有する場合がある。バンドル720は、厳しいレイテンシ限度内にURLLCパケット740から決定されたデータまたは制御情報を通信する信頼度を改善し得る。
【００７３】
たとえば、図4の文脈では、第2のタイプのデータまたは制御情報420は、URLLCパケット740から決定され得る。第1の基地局402は、バンドル720内に、第2のタイプのデータまたは制御情報420がそれらのサブスロット内で搬送されるべき複数のサブスロット722a、722b、722c、722dを含み得る。一態様では、サブフレーム710はeMBBデータまたは制御情報を搬送し得、それゆえ、第1の基地局402は、eMBBデータまたは制御情報に、URLLCパケット740から取得された第2のタイプのデータまたは制御情報420を刺し込み得る742。次いで、基地局402は、サブフレーム710内のバンドル720内に含まれるサブスロット722a、722b、722c、722dの間に、第2のタイプのデータまたは制御情報420を第1のUE408に通信し得る。
【００７４】
そのような例に加えて、第1のUE408は、サブフレーム710内のバンドル720内に含まれるサブスロット722a、722b、722c、722dの間に、第2のタイプのデータまたは制御情報420を受信し得る。第1のUE408は、第2のタイプのデータまたは制御情報420に対するACK/NACK情報730(たとえば、ACK/NACK情報422)を決定し得る。次いで、第1のUE408は、ACK/NACK情報を搬送するためのサブフレーム710の部分726の間にACK/NACK情報730(たとえば、ACK/NACK情報422)を送り得る。一態様では、ACK/NACK情報730(たとえば、ACK/NACK情報422)は、UCBチャネル上で搬送され得る。
【００７５】
サブスロット構成700は、各々が2つのOFDMシンボルを有する複数のサブスロット722a、722b、722c、722dを示すが、本開示から逸脱することなく、他の構成が可能である。たとえば、第1のサブスロット722aは2つのシンボルを含んでもよく、一方で、第2のサブスロット722bは4つのシンボルを含んでもよい。一態様では、合計N個のシンボル(たとえば、2、4、8など)を含むサブスロット722a、722b、722c、722dのバンドル720は、Nシンボルサブスロットによって等価に置き換えられ得る。たとえば、4つの2シンボルサブスロット722a、722b、722c、722dのバンドル720は、単一の8シンボルサブスロットと等価であり得る。
【００７６】
図8は、様々な態様によるサブスロット構成800の図である。図8は、第1のタイプのトラフィックとしてのeMBBおよび第2のタイプのトラフィックとしてのURLLCの文脈における構成800を示すが、本開示は、MTC、エンハンストMTC、または別の5G技術など、異なるタイプのトラフィックを包含する。
【００７７】
一態様では、第1のセル(たとえば、URLLC/eMBBセル802)および第2のセル(たとえば、eMBBセル804)に対して使用されるサブフレーム構造が同期され得る。たとえば、第1のタイプのトラフィック(たとえば、eMBB)および第2のタイプのトラフィック(たとえば、URLLC)に対するサブフレーム境界が同期され得、第1のタイプのトラフィックおよび第2のタイプのトラフィックは同じヌメロロジー(たとえば、14であり得る参照ヌメロロジー)を有し得る。一態様では、(たとえば、URLLC/eMBBセル802を提供する)第1の基地局は、他の基地局がサブフレーム境界を第1の基地局と同期し得るように、サブフレームタイミング(たとえば、境界)についての情報を(たとえば、eMBBセル804を提供する)別の基地局に与え得る。たとえば、第1の基地局は、X2インターフェースを介してサブフレームタイミング(たとえば、境界)についての情報を送り得る。
【００７８】
URLLC/eMBBセル802に対するサブフレーム構造は、データまたは制御情報を搬送するための第1の部分818(たとえば、12個のシンボル)とACK/NACK情報を搬送するための第3の部分832(たとえば、1つのシンボル)とを含み得、ギャップ824(たとえば、1つのシンボル)は、第1の部分818と第3の部分832との間に発生し得る。同様に、eMBBセル804に対するサブフレーム構造は、データまたは制御情報を搬送するための第1の部分806a(たとえば、12個のシンボル)とACK/NACK情報を搬送するための第3の部分834(たとえば、1つのシンボル)とを含み得、ギャップ826(たとえば、1つのシンボル)は、第1の部分806aと第3の部分834との間に発生し得る。
【００７９】
様々な態様では、それぞれの第1の部分818、806aは、14などの参照ヌメロロジーに基づいてそれぞれのセル802、804内に構成され得る。同期に基づいて、URLLC/eMBBセル802内の第1の部分818は、サブフレームt 810の間にeMBBセル804内の第1の部分806aと同時に発生し得る。たとえば、第1の部分818、806aの各々は、12個のシンボルであり得る。同様に、URLLC/eMBBセル802内の第3の部分832は、サブフレームt 810の間にeMBBセル804内の第3の部分834と同時に発生し得、それぞれのギャップ824、826は、それぞれの第1の部分818、806aと第3の部分832、834との間に発生する。
【００８０】
様々な態様では、URLLCアプリケーションは、迅速な配信を要求する場合がある。それゆえ、URLLCパケットが(たとえば、上位レイヤから)到来すると、URLLC情報は、できるだけ速やかに通信されるべきである。図8では、URLLCパケット840が(たとえば、上位レイヤから)到来し、URLLCパケット840がそのサブフレームの間に到来するのと同じサブフレームt 810内にスケジュールされ得る。
【００８１】
一態様では、URLLCパケット840から決定されたデータおよび/または制御情報は、URLLCデータまたは制御情報を速やかにスケジュールするために、URLLC/eMBBセル802内の第1の部分818のシンボル内に刺し込まれ得る。次いで、URLLCデータまたは制御情報は、サブフレームt 810の間にバンドルされたサブスロット820内で搬送され得る。一態様では、バンドル820は、刺し込みが始まった後のサブフレームの残りを占有する場合がある(たとえば、刺し込みの後、バンドルされたサブスロット820は、ギャップ824までサブフレームt 810を占有する場合がある)。
【００８２】
様々な態様では、第1の基地局(たとえば、第1の基地局402)は、たとえば4シンボルeMBB部分の後ろに、バンドルされたサブスロット810の間に第1の部分818のシンボル内に刺し込まれる場合がある(たとえば、バンドルされたサブスロット820は、第1の部分818の残りの8個のシンボルを占有する場合がある)。次いで、URLLCパケット840から決定されたURLLCデータまたは制御情報は、サブフレームt 810のバンドルされたサブスロット820の間にUE(たとえば、第1のUE408)に通信され得る。
【００８３】
UEは、バンドルされたサブスロット820内で搬送されるURLLCデータまたは制御情報を受信して、URLLCデータまたは制御情報の復号を試行する場合がある。一態様では、UEは、バンドルされたサブスロット820内で搬送されるURLLCデータまたは制御情報を正常に復号できない場合があり、それゆえ、バンドルされたサブスロット820内で搬送されるURLLCデータまたは制御情報をUEが復号できないことを示すために、NACK830を決定する場合がある。次いで、UEは、第3の部分832の間にNACK830を送り得、NACKはUCBチャネル860上で搬送され得る。
【００８４】
NACK830は、URLLC/eMBBセル802とeMBBセル804の両方の中で受信され得る。URLLC/eMBBセル802では、第1の基地局(たとえば、第1の基地局402)は、NACK830に基づいて、バンドルされたサブスロット820内で搬送されるURLLCデータまたは制御情報が再スケジュールされるべきであると決定し得る。それに応じて、第1の基地局は、サブフレームt+1 812の少なくとも1つのサブスロット850内のURLLCデータまたは制御情報を再スケジュールし得る。一態様では、URLLCデータまたは制御情報はバンドルされたサブスロット820内で搬送され得るが、たとえば、URLLCデータまたは制御情報を示す同数のビットが、異なるコーディングレートを使用してサブスロット850内で搬送され得るので、1つのサブスロット850の間に再スケジュールされ得る。
【００８５】
eMBBセル804では、第2の基地局(たとえば、第2の基地局404)は、NACK830に基づいて、たとえばURLLCデータまたは制御情報がUEに通信されることに対する干渉を緩和するために、サブフレームt+1 812の少なくとも第1の部分806bの間に、第2の基地局が送信電力を低減するべきであると決定し得る。それに応じて、第2の基地局は、サブフレームt+1 812の第1の部分806bの間に送信電力を低減する(たとえば、電力フォールバックを実行するかまたは送信を譲歩する)場合がある。
【００８６】
次いで、第1の基地局は、サブフレームt+1 812のサブスロット850の間に再スケジュールされたURLLCデータまたは制御情報(たとえば、再スケジュールされた第2のタイプのデータまたは制御情報424)を送信し得る。第2の基地局はサブフレームt+1 812の第1の部分806bの間に電力フォールバックし得るので、UEは、再スケジュールされたURLLCデータまたは制御情報を正常に復号できる。一態様では、URLLC/eMBBセル802内のURLLCアプリケーションは、たとえば、URLLCデータまたは制御情報が依然としてURLLCのレイテンシ要件に準拠するように、遅延期間(たとえば、500ミリ秒)を割り当てられ得る。
【００８７】
図9は、ワイヤレス通信の方法900のフローチャートである。この方法は、基地局(たとえば、基地局102、基地局402、装置1002/1002')によって実行され得る。方法900は複数の離散的な動作を示すが、本開示は、1つまたは複数の動作が転置され、省略され、および/または同時に実行される態様を企図している。
【００８８】
最初に動作902で始まって、基地局は、第2のタイプのデータまたは制御情報に関連するACK/NACK情報を搬送するための部分の構成を示す情報を隣接する基地局に送り得る。構成情報は、第2のタイプのデータまたは制御情報に関連するACK/NACK情報がそれらのリソース上で搬送されるべきである1つまたは複数のリソースを含み得る。一態様では、第2のタイプのデータまたは制御情報は、URLLCデータまたは制御情報であり得る。図4の文脈では、たとえば、第2の基地局404がACK/NACK情報422をモニタして検出し得るように、第1の基地局402は、ACK/NACK情報を搬送するための部分の構成を示す情報440を第2の基地局404に送り得る。
【００８９】
動作904において、基地局は、少なくとも2つのサブスロット内で、第1のタイプのデータまたは制御情報に第2のタイプのデータまたは制御情報を刺し込み得る。たとえば、基地局は、第1のタイプのデータまたは制御情報を1つまたは複数のリソース(たとえば、RB)にマッピングし得るが、それらのリソースのビットの少なくとも一部分は、第2のタイプのデータまたは制御情報を搬送するために使用され得、たとえば、基地局は、1つまたは複数のリソース内で第2のタイプのデータまたは制御情報を第1のタイプのデータまたは制御情報の上にマッピングし得る。一態様では、第1のタイプのデータまたは制御情報は、eMBBデータまたは制御情報であり得、第2のタイプのデータまたは制御情報は、URLLCデータまたは制御情報であり得る。図4の文脈では、第1の基地局402は、第1のタイプのデータまたは制御情報に第2のタイプのデータまたは制御情報420を刺し込み得る。たとえば、第1の基地局402は、サブフレーム710の第1の部分718に、URLLCパケット740から決定された第2のタイプのデータまたは制御情報を刺し込み得る742。別の例では、第1の基地局402は、サブフレームt 810の第1の部分818に、URLLCパケット840から決定されたURLLCデータまたは制御情報を刺し込み得る。
【００９０】
動作906において、基地局は、サブフレーム内の少なくとも2つのサブスロットをバンドルし得る。たとえば、基地局は、第1のサブスロット内に第2のタイプのデータまたは制御情報を含み得、同じく、第2のサブスロット内に第2のタイプのデータまたは制御情報を含み得る。第2のサブスロット内の第2のタイプのデータまたは制御情報は、第1のサブスロット内の第2のタイプのデータまたは制御情報の冗長バージョンであり得る。次いで、基地局は1つのサブフレーム内にこれらのサブスロットの両方を含み得、たとえば、第2のサブスロットは第1のサブスロットの直後に(たとえば、介在部分なしに)続く。一態様では、サブフレームは、第2のタイプのデータまたは制御情報に関連するACK/NACK情報を搬送するための部分を含み得る。図4の文脈では、第1の基地局402は、第2のタイプのデータまたは制御情報420がそれらのサブスロット内で刺し込まれる少なくとも2つのサブスロットをバンドルし得る。たとえば、第1の基地局402は、サブフレーム710内のサブスロット722a、722b、722c、722dをバンドルし得る。別の例では、第2のタイプのデータまたは制御情報は、バンドルされたサブスロット820内で搬送され得る。
【００９１】
動作908において、基地局は、サブフレーム内でバンドルされた少なくとも2つのサブスロットの間にUEと通信し得る。たとえば、基地局は、サブフレーム内のバンドルされた少なくとも2つのサブスロット内の第2のタイプのデータまたは制御情報を送信し得る。図4の文脈では、第1の基地局402は、サブフレーム内でバンドルされた少なくとも2つのサブスロットの間に第2のタイプのデータまたは制御情報420を送信し得る。たとえば、第1の基地局402は、バンドル720の間に第2のタイプのデータまたは制御情報420を送信し得る。別の例では、第1の基地局402は、バンドルされたサブスロット820の間に第2のタイプのデータまたは制御情報420を送信し得る。
【００９２】
動作910において、基地局は、バンドルされた少なくとも2つのサブスロット内で搬送される第2のタイプのデータまたは制御情報に関連するACK/NACK情報をUEから受信し得る。一態様では、ACK/NACK情報は、UCBチャネル上で搬送され得る。図4の文脈では、第1の基地局402は、ACK/NACK情報422を第1のUE408から受信し得る。たとえば、第1の基地局402は、サブフレーム710の終端において部分726内で搬送されるACK/NACK情報730を受信し得る。別の例では、第1の基地局402は、UCBチャネル860上で搬送されるNACK830であるACK/NACK情報を受信し得る。
【００９３】
ACK/NACK情報が肯定応答を示す場合、基地局は、たとえば、UEは第2のタイプのデータまたは制御情報を正常に復号したので、UEとさらに通信することを継続し得る。しかしながら、ACK/NACK情報が否定応答を示す場合、方法900は、動作912に進み得る。動作912において、基地局は、第2のタイプのデータまたは制御情報を再スケジュールし得る。たとえば、基地局は、第2のタイプのデータまたは制御情報を送るための後続の時間(たとえば、後続のサブフレーム)を決定し得、基地局は、第2のタイプのデータまたは制御情報を、その後続の時間に対応するリソースにマッピングし得る。図4の文脈では、第1の基地局402は、第2のタイプのデータまたは制御情報424を再スケジュールし得る。たとえば、第1の基地局402は、少なくとも1つのサブスロット850の間にURLLCパケット840から決定されたURLLCデータまたは制御情報を再スケジュールし得る。
【００９４】
動作914において、基地局は、再スケジュールされた第2のタイプのデータまたは制御情報を送り得る。図4の文脈では、第1の基地局402は、再スケジュールされた第2のタイプのデータまたは制御情報424を送り得る。たとえば、第1の基地局402は、少なくとも1つのサブスロット850の間にURLLCパケット840から決定されたURLLCデータまたは制御情報を送り得る。
【００９５】
図10は、ワイヤレス通信の方法1000のフローチャートである。この方法は、基地局(たとえば、基地局180、基地局404、装置1402/1402')によって実行され得る。方法1000は複数の離散的な動作を示すが、本開示は、1つまたは複数の動作が転置され、省略され、および/または同時に実行される態様を企図している。
【００９６】
最初に動作1002で始まって、基地局は、第2のタイプのデータまたは制御情報に関連するACK/NACK情報を搬送するための部分の構成を示す情報を隣接する基地局から受信し得る。構成情報は、第2のタイプのデータまたは制御情報に関連するACK/NACK情報がそれらのリソース上で搬送されるべきである1つまたは複数のリソース(たとえば、サブフレームの最後のシンボル、UCBチャネル)を含み得る。一態様では、第2のタイプのデータまたは制御情報は、URLLCデータまたは制御情報であり得る。図4の文脈では、たとえば、第2の基地局404がACK/NACK情報422をモニタして検出し得るように、第2の基地局404は、ACK/NACK情報を搬送するための部分の構成を示す情報440を第1の基地局402から受信し得る。
【００９７】
動作1004において、基地局は、たとえば受信された構成情報に基づいて、第2のタイプのデータまたは制御情報に関連するACK/NACK情報をUEから受信し得る。一態様では、ACK/NACK情報は、UCBチャネル上で搬送され得る。図4の文脈では、第2の基地局404は、ACK/NACK情報422を第1のUE408から受信し得る。たとえば、第2の基地局404は、UCBチャネル860上で搬送されるNACK830であるACK/NACK情報を受信し得る。
【００９８】
ACK/NACK情報が肯定応答を示す場合(またはACK/NACK情報が検出されない場合)、たとえば基地局が隣接するセルに対して干渉を引き起こしているとの表示を基地局が受信していないので、基地局は、基地局およびUEによって与えられるセル上で動作する他のUEとさらに通信することを継続する場合がある。しかしながら、ACK/NACK情報が否定応答を示す場合、方法1000は、動作1006に進み得る。動作1006において、基地局は、後続のサブフレームの間に第1のタイプのデータまたは制御情報に対する送信電力を低減し得る。たとえば、基地局は、前に使用された送信電力より比較的小さい、低減された送信電力を選択または計算し得、基地局は、送信のために低減された送信電力を使用し得る。第1のタイプのデータまたは制御情報は、eMBBデータまたは制御情報であり得る。図4の文脈では、第2の基地局404は、第1のタイプのデータまたは制御情報442に対する送信電力を低減し得る。たとえば、第2の基地局404は、サブフレームt+1 812の第1の部分806bの間に送信電力を低減し得る。
【００９９】
一態様では、動作1006は動作1008を含み得る。動作1008において、基地局は、後続のサブフレームの間に第1のタイプのデータまたは制御情報の送信を譲歩し得る。一態様では、基地局は、データまたは制御情報(たとえば、通常ならば送信のためにスケジュールされていたデータまたは制御情報)の送信を控えることによって送信を譲歩する場合がある。たとえば、基地局は、後続のサブフレームの1つまたは複数のリソース上で第1のタイプのデータまたは制御情報の送信をスケジュールし得、次いで、基地局は、後続のサブフレームの1つまたは複数のリソース上でスケジュールされた第1のタイプのデータまたは制御情報を送ることを控える場合がある。たとえば、第2の基地局404は、再スケジュールされた第2のタイプのデータまたは制御情報424の送信が終わるまで、第1のタイプのデータまたは制御情報442の送信を譲歩する場合がある。たとえば、第2の基地局404は、サブフレームt+1 812の第1の部分806bの間の送信を譲歩する場合がある。
【０１００】
図11は、ワイヤレス通信の方法1100のフローチャートである。方法は、UE(たとえば、UE104、第1のUE408、装置1602/1602')によって実行され得る。方法1100は複数の離散的な動作を示すが、本開示は、1つまたは複数の動作が転置され、省略され、および/または同時に実行される態様を企図している。
【０１０１】
動作1102において、UEは、サブフレーム内でバンドルされた少なくとも2つのサブスロット内で搬送される第2のタイプのデータまたは制御情報を基地局から受信し得る。一態様では、第2のタイプのデータまたは制御情報は、第1のタイプのデータまたは制御情報内に刺し込まれる。一態様では、サブフレームは、第2のタイプのデータまたは制御情報に関連するACK/NACK情報を搬送するための部分を含む。第1のタイプのデータまたは制御情報は、eMBBデータまたは制御情報であり得、第2のタイプのデータまたは制御情報は、URLLCデータまたは制御情報であり得る。
【０１０２】
図4の文脈では、第1のUE408は、第2のタイプのデータまたは制御情報420を受信し得る。たとえば、第1のUE408は、サブフレーム710の第1の部分718のシンボル内に刺し込まれる742第2のタイプのデータまたは制御情報を受信し得る。別の例では、第1のUE408は、サブフレームt 810の第1の部分818のシンボル内に刺し込まれる第2のタイプのデータまたは制御情報を受信し得る。第1のUE408は、バンドル720のサブスロット722a、722b、722c、722d内で搬送される第2のタイプのデータまたは制御情報を受信し得る。別の例では、第2のタイプのデータまたは制御情報は、バンドルされたサブスロット820内で搬送され得る。
【０１０３】
動作1104において、UEは、バンドルされた少なくとも2つのサブスロット内で搬送される第2のタイプのデータまたは制御情報に対するACK/NACK情報を決定し得る。たとえば、UEは、第2のタイプのデータまたは制御情報を復号することを試行する場合がある。UEが第2のタイプのデータまたは制御情報を正常に復号した場合、UEは、第2のタイプのデータまたは制御情報の正常な受信および復号を示すためにACKフィードバックを生成し得る。しかしながら、UEが第2のタイプのデータまたは制御情報の復号に成功しなかった場合、UEは、第2のタイプのデータまたは制御情報の受信および/または復号の失敗を示すためにNACKフィードバックを生成し得る。図4の文脈では、第1のUE408は、第2のタイプのデータまたは制御情報420に対するACK/NACK情報422を決定し得る。たとえば、第1のUE408は、バンドル720内で搬送されるURLLCデータまたは制御情報に対するACK/NACK情報730を決定し得る。別の例では、バンドルされたサブスロット820内で搬送されるURLLCデータまたは制御情報を第1のUE408が正常に復号できないとき、第1のUE408はNACK830を決定し得る。
【０１０４】
動作1106において、UEは、ACK/NACK情報を搬送するためのサブフレームの部分の間にACK/NACK情報を送り得る。一態様では、ACK/NACK情報は、UCBチャネル上で搬送され得る。図4の文脈では、第1のUE408はACK/NACK情報422を送り得、ACK/NACK情報422は第1の基地局402と第2の基地局404の両方によって受信され得る。たとえば、第1のUE408は、ACK/NACK情報を搬送するためのサブフレーム710の部分726の中でACK/NACK情報730を送り得る。別の例では、第1のUE408はNACK830を送り得、NACK830はURLLC/eMBBセル802とeMBBセル804の両方の中で受信され得る。
【０１０５】
UEがNACKを送る場合、方法1100は、動作1108に進み得る。動作1108において、UEは、再スケジュールされた第2のタイプのデータまたは制御情報を受信し得る。図4の文脈では、第1のUE408は、再スケジュールされた第2のタイプのデータまたは制御情報424を受信し得る。たとえば、第1のUE408は、サブフレームt+1 812の少なくとも1つのサブスロット850内で搬送される再スケジュールされた第2のタイプのデータまたは制御情報を受信し得る。
【０１０６】
図12は、例示的な装置1202の中の異なる手段/構成要素間のデータフローを示す概念データフロー図1200である。装置は、基地局であってもよい。
【０１０７】
装置1202は、信号を(たとえば、UE1250から、および/または隣接する基地局1260から)受信するように構成された受信構成要素1204を含み得る。装置1202は、信号を(たとえば、UE1250に、および/または隣接する基地局1260に)送信するように構成された送信構成要素1210を含み得る。
【０１０８】
装置1202は、UE1250に配信されるべきであるコンテンツを決定するように構成されたコンテンツ構成要素1208を含み得る。コンテンツは、URLLCデータまたは制御情報を含み得る。コンテンツ構成要素1208は、コンテンツをスケジューリング構成要素1206に提供し得る。スケジューリング構成要素1206は、少なくとも2つのサブスロット内で、第1のタイプのデータまたは制御情報(たとえば、eMBBデータまたは制御情報)にコンテンツを刺し込み得、コンテンツは第2のタイプのデータまたは制御情報(たとえば、URLLCデータまたは制御情報)であり得る。一態様では、スケジューリング構成要素1206は、サブフレーム内の少なくとも2つのサブスロットをバンドルし得る。一態様では、サブフレームは、第2のタイプのデータまたは制御情報に関連するACK/NACK情報を搬送するための部分を含み得る。次いで、送信構成要素1210は、サブフレーム内でバンドルされた少なくとも2つのサブスロットの間にUE1250と通信し得る。
【０１０９】
一態様では、スケジューリング構成要素1206は、コンテンツに関連するACK/NACK情報をUE1250から受信し得、コンテンツはUCBチャネル上で搬送され得る。ACK/NACK情報がUE1250によって否定応答を示す場合、スケジューリング構成要素1206は、(たとえば、次のサブフレームのサブスロットの間に)コンテンツを再スケジュールし得る。次いで、送信構成要素1210は、再スケジュールされた第2のタイプのデータまたは制御情報をUE1250に送り得る。
【０１１０】
一態様では、装置1202は、同期構成要素1212を含み得る。同期構成要素1212は、第2のタイプのデータまたは制御情報に関連するACK/NACK情報を搬送するための部分の構成を示す情報を決定するように構成され得る。構成情報は、第2のタイプのデータまたは制御情報に関連するACK/NACK情報がそれらのリソース上で搬送されるべきである1つまたは複数のリソース(たとえば、サブフレームの最後のシンボル、UCBチャネル)を含み得る。次いで、送信構成要素1210は、たとえば、隣接する基地局が、UE1250からのACK/NACK情報をモニタして検出し得るように、ACK/NACK情報を搬送するための部分の構成を示す情報を、隣接する基地局1260に送信し得る。
【０１１１】
装置は、図9の上述のフローチャートの中のアルゴリズムのブロックの各々を実行する追加の構成要素を含み得る。したがって、図9の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１１２】
図13は、処理システム1314を採用する装置1202'のためのハードウェア実装形態の一例を示す図1300である。処理システム1314は、バス1324によって全体的に表される、バスアーキテクチャを用いて実装されてもよい。バス1324は、処理システム1314の具体的な適用例および全体的な設計制約に応じて、任意の数の相互接続バスとブリッジとを含み得る。バス1324は、プロセッサ1304によって表される1つまたは複数のプロセッサおよび/またはハードウェア構成要素と、構成要素1204、1206、1208、1210、1212と、コンピュータ可読媒体/メモリ1306とを含む様々な回路を互いにリンクする。バス1324はまた、タイミングソース、周辺装置、電圧調整器、および電力管理回路など、様々な他の回路をリンクしてもよいが、これらの回路は当技術分野においてよく知られており、したがって、これらの回路についてはこれ以上説明しない。
【０１１３】
処理システム1314はトランシーバ1310に結合され得る。トランシーバ1310は1つまたは複数のアンテナ1320に結合される。トランシーバ1310は、送信媒体を通じて様々な他の装置と通信するための手段を与える。トランシーバ1310は、1つまたは複数のアンテナ1320から信号を受信し、受信された信号から情報を抽出し、抽出された情報を処理システム1314、具体的には受信構成要素1204に供給する。加えて、トランシーバ1310は、処理システム1314、具体的には送信構成要素1210から情報を受信し、受信された情報に基づいて、1つまたは複数のアンテナ1320に印加されるべき信号を生成する。処理システム1314は、コンピュータ可読媒体/メモリ1306に結合されたプロセッサ1304を含む。プロセッサ1304は、コンピュータ可読媒体/メモリ1306に記憶されたソフトウェアの実行を含む、一般的な処理に関与する。ソフトウェアは、プロセッサ1304によって実行されると、任意の特定の装置について上で説明された様々な機能を処理システム1314に実行させる。コンピュータ可読媒体/メモリ1306はまた、ソフトウェアを実行するときにプロセッサ1304によって操作されるデータを記憶するために使用され得る。処理システム1314は、構成要素1204、1206、1208、1210、1212のうちの少なくとも1つをさらに含む。それらの構成要素は、プロセッサ1304内で動作し、コンピュータ可読媒体/メモリ1306の中に存在する/記憶されたソフトウェア構成要素、プロセッサ1304に結合された1つまたは複数のハードウェア構成要素、またはそれらの何らかの組合せであり得る。処理システム1314は、基地局310の構成要素の場合があり、メモリ376、ならびに/またはTXプロセッサ316、RXプロセッサ370、およびコントローラ/プロセッサ375のうちの少なくとも1つを含む場合がある。
【０１１４】
一構成では、ワイヤレス通信のための装置1202/1202'は、少なくとも2つのサブスロット内で、第1のタイプのデータまたは制御情報に第2のタイプのデータまたは制御情報を刺し込むための手段を含む。装置1202/1202'は、サブフレーム内の少なくとも2つのサブスロットをバンドルするための手段をさらに含み得、サブフレームは、第2のタイプのデータまたは制御情報に関連するACK/NACK情報を搬送するための部分を含む。装置1202/1202'は、サブフレーム内でバンドルされた少なくとも2つのサブスロットの間にユーザ機器(UE)と通信するための手段をさらに含み得る。
【０１１５】
装置1202/1202'は、バンドルされた少なくとも2つのサブスロット内で搬送される第2のタイプのデータまたは制御情報に関連するACK/NACK情報を受信するための手段をさらに含み得る。一態様では、ACK/NACK情報は、eMBBアップリンクコモンバーストチャネル上で搬送される。装置1202/1202'は、ACK/NACK情報が否定応答を示すときに第2のタイプのデータまたは制御情報を再スケジュールするための手段をさらに含み得る。装置1202/1202'は、再スケジュールされた第2のタイプのデータまたは制御情報を送るための手段をさらに含み得る。装置1202/1202'は、第2のタイプのデータまたは制御情報に関連するACK/NACK情報を搬送するための部分の構成を示す情報を隣接する基地局に送るための手段をさらに含み得る。一態様では、第1のタイプのデータはeMBBに関連付けられ、第2のタイプのデータはURLLCに関連付けられる。
【０１１６】
上述の手段は、上述の手段によって列挙された機能を実行するように構成された、装置1202、および/または装置1202'の処理システム1314の上述の構成要素のうちの1つまたは複数であり得る。上記で説明したように、処理システム1314は、TXプロセッサ316と、RXプロセッサ370と、コントローラ/プロセッサ375とを含む場合がある。したがって、一構成では、上述の手段は、上述の手段によって列挙された機能を実施するように構成されたTXプロセッサ316、RXプロセッサ370、およびコントローラ/プロセッサ375であってもよい。
【０１１７】
図14は、例示的な装置1402内の様々な手段/構成要素間のデータフローを示す概念データフロー図1400である。装置は、基地局であってもよい。
【０１１８】
装置1402は、信号を(たとえば、第1のUE1450、第2のUE1470から、および/または隣接する基地局1460から)受信するように構成された受信構成要素1404を含み得る。装置1402は、信号を(たとえば、第2のUE1470に、および/または隣接する基地局1460に)送信するように構成された送信構成要素1410を含み得る。
【０１１９】
一態様では、装置1202は、同期構成要素1408を含み得る。同期構成要素1408は、第2のタイプのデータまたは制御情報に関連するACK/NACK情報を搬送するための部分の構成を示す情報を決定するように構成され得、第2のタイプのデータまたは制御情報は、隣接する基地局1460から受信され得る。構成情報は、第2のタイプのデータまたは制御情報に関連するACK/NACK情報がそれらのリソース上で搬送されるべきである1つまたは複数のリソース(たとえば、サブフレームの最後のシンボル、UCBチャネル)を含み得る。
【０１２０】
同期構成要素1408は、構成情報をACK/NACK構成要素1406に提供し得る。この構成情報に基づいて、ACK/NACK構成要素1406は、UE1450からのACK/NACK情報をモニタおよび検出し得る。一態様では、ACK/NACK情報はUCBチャネル上で搬送され得るが、ACK/NACK情報は第2のタイプのデータまたは制御情報(たとえば、URLLC)に関連付けられ得る一方で、装置1402は第1のタイプのデータまたは制御情報(たとえば、eMBB)に従って通信するように構成される。
【０１２１】
ACK/NACK構成要素1406が第1のUE1450からのNACKを検出すると、ACK/NACK構成要素1406は、NACKの表示を電力構成要素1412に提供し得る。電力構成要素1412は、たとえば、第2のUE1470と通信するときに、後続のサブフレームの間に第1のタイプのデータまたは制御情報に対する送信電力を低減するように構成され得る。一態様では、電力構成要素1412は、後続のサブフレームの間に送信構成要素1410に第1のタイプのデータまたは制御情報の送信を譲歩させることによって送信電力を低減し得る。
【０１２２】
装置は、図10の上述のフローチャート内のアルゴリズムのブロックの各々を実施するさらなる構成要素を含む場合がある。したがって、図10の上述のフローチャート内の各ブロックは、1つの構成要素によって実施される場合があり、装置は、それらの構成要素のうちの1つまたは複数を含む場合がある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１２３】
図15は、処理システム1514を採用する装置1402'のためのハードウェア実装形態の一例を示す図1500である。処理システム1514は、バス1524によって全体的に表される、バスアーキテクチャを用いて実装されてもよい。バス1524は、処理システム1514の具体的な適用例および全体的な設計制約に応じて、任意の数の相互接続バスとブリッジとを含み得る。バス1524は、プロセッサ1504によって表される1つまたは複数のプロセッサおよび/またはハードウェア構成要素と、構成要素1404、1406、1408、1410、1412と、コンピュータ可読媒体/メモリ1506とを含む様々な回路を互いにリンクする。バス1524はまた、タイミングソース、周辺装置、電圧調整器、および電力管理回路など、様々な他の回路をリンクしてもよいが、これらの回路は当技術分野においてよく知られており、したがって、これらの回路についてはこれ以上説明しない。
【０１２４】
処理システム1514は、トランシーバ1510に結合される場合がある。トランシーバ1510は1つまたは複数のアンテナ1520に結合される。トランシーバ1510は、送信媒体を通じて様々な他の装置と通信するための手段を与える。トランシーバ1510は、1つまたは複数のアンテナ1520から信号を受信し、受信された信号から情報を抽出し、抽出された情報を処理システム1514、具体的には受信構成要素1404に供給する。さらに、トランシーバ1510は、処理システム1514、特に送信構成要素1410から情報を受信し、受信された情報に基づいて、1つまたは複数のアンテナ1520に印加されるべき信号を生成する。処理システム1514は、コンピュータ可読媒体/メモリ1506に結合されたプロセッサ1504を含む。プロセッサ1504は、コンピュータ可読媒体/メモリ1506に記憶されたソフトウェアの実行を含む、一般的な処理に関与する。ソフトウェアは、プロセッサ1504によって実行されると、任意の特定の装置について上で説明された様々な機能を処理システム1514に実行させる。コンピュータ可読媒体/メモリ1506はまた、ソフトウェアを実行するときにプロセッサ1504によって操作されるデータを記憶するために使用され得る。処理システム1514は、構成要素1404、1406、1408、1410、1412のうちの少なくとも1つをさらに含む。それらの構成要素は、プロセッサ1504内で動作し、コンピュータ可読媒体/メモリ1506に存在する/記憶されたソフトウェア構成要素、プロセッサ1504に結合された1つもしくは複数のハードウェア構成要素、またはそれらの何らかの組合せであり得る。処理システム1514は、基地局310の構成要素の場合があり、メモリ376、ならびに/またはTXプロセッサ316、RXプロセッサ370、およびコントローラ/プロセッサ375のうちの少なくとも1つを含む場合がある。
【０１２５】
一構成では、ワイヤレス通信のための装置1402/1402'は、第2のタイプのデータまたは制御情報に関連するACK/NACK情報を受信するための手段を含む。装置1402/1402'は、ACK/NACK情報が否定応答を示すとき、後続のサブフレームの間に第1のタイプのデータまたは制御情報に対する送信電力を低減するための手段をさらに含み得る。一態様では、送信電力を低減するための手段は、後続のサブフレームの間に第1のタイプのデータまたは制御情報の送信を譲歩するように構成される。
【０１２６】
装置1402/1402'は、ACK/NACK情報を搬送するためのサブフレームの部分の構成を示す情報を隣接する基地局から受信するための手段をさらに含み得る。一態様では、ACK/NACK情報は、eMBBアップリンクコモンバーストチャネル上で搬送される。一態様では、第1のタイプのデータはeMBBに関連付けられ、第2のタイプのデータはURLLCに関連付けられる。
【０１２７】
上述の手段は、上述の手段によって列挙された機能を実行するように構成された、装置1402、および/または装置1402'の処理システム1514の上述の構成要素のうちの1つまたは複数であり得る。上記で説明したように、処理システム1514は、TXプロセッサ316と、RXプロセッサ370と、コントローラ/プロセッサ375とを含む場合がある。したがって、一構成では、上述の手段は、上述の手段によって列挙された機能を実施するように構成されたTXプロセッサ316、RXプロセッサ370、およびコントローラ/プロセッサ375であってもよい。
【０１２８】
図16は、例示的な装置1602の中の異なる手段/構成要素間のデータフローを示す概念データフロー図1600である。この装置は、UEであってもよい。
【０１２９】
装置1602は、信号を(たとえば、第1の基地局1650から)受信するように構成された受信構成要素1604を含み得る。装置1402は、信号(たとえば、第1の基地局1650に向けているが、そのような信号は隣接する基地局1660によって検出され得る)を送信するように構成された送信構成要素1410を含み得る。
【０１３０】
一態様では、装置1602は、コンテンツ構成要素1606を含み得る。コンテンツ構成要素1606は、第1の基地局1650からコンテンツ(たとえば、URLLCデータまたは制御情報)を受信するように構成され得、コンテンツは、サブフレームのバンドルされたサブスロット内で搬送され得る。一態様では、データまたは制御情報は第2のタイプ(たとえば、URLLC)のものであり得、サブフレーム内でバンドルされた少なくとも2つのサブスロット内で、第1のタイプのデータまたは制御情報(たとえば、eMBBデータまたは制御情報)内に刺し込まれ得る。一態様では、サブフレームは、第2のタイプのデータまたは制御情報に関連するACK/NACK情報を搬送するための部分を含み得る。
【０１３１】
コンテンツ構成要素1606は、第1の基地局1650から受信された第2のタイプのデータまたは制御情報の復号を試行し得、復号が成功したかどうかの表示をACK/NACK構成要素1608に提供し得る。ACK/NACK構成要素1608は、第2のタイプのデータまたは制御情報がそれらのサブスロット内で搬送されるバンドルされたサブスロットに対するACK/NACK情報を決定し得る。たとえば、ACK/NACK構成要素1608は、コンテンツ構成要素1606が、バンドルされたサブスロット内で搬送される第2のタイプのデータまたは制御情報を正常に復号するときにACKを決定し得、そうでない場合にNACKを決定し得る。
【０１３２】
送信構成要素1610は、ACK/NACK情報を搬送するためのサブフレームの部分の中で決定されたACK/NACK情報を送信し得る。ACK/NACK情報は、UCBチャネル上で搬送され得る。ACK/NACK情報は第1の基地局1650に宛てられ得るが、隣接する基地局1660は、そのACK/NACK情報を検出し得る。
【０１３３】
ACK/NACK構成要素1608がNACKの送信を生じる場合、コンテンツ構成要素1606は、再スケジュールされたサブスロットの間に第2のタイプのデータまたは制御情報を受信し得、再スケジュールされたサブスロットは、バンドルされたサブスロットがそのサブフレーム内で搬送されるサブフレームの直後の、次のサブフレームの間に発生し得る。
【０１３４】
装置は、図11の上述のフローチャートの中のアルゴリズムのブロックの各々を実行する追加の構成要素を含み得る。したがって、図11の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１３５】
図17は、処理システム1714を採用する装置1602'のためのハードウェア実装形態の一例を示す図1700である。処理システム1714は、バス1724によって全体的に表されたバスアーキテクチャで実装される場合がある。バス1724は、処理システム1714の特定の適用例および全体的な設計制約に応じて、任意の数の相互接続するバスおよびブリッジを含む場合がある。バス1724は、プロセッサ1704によって表される1つまたは複数のプロセッサおよび/またはハードウェア構成要素と、構成要素1604、1606、1608、1610と、コンピュータ可読媒体/メモリ1706とを含む様々な回路を互いにつなぐ。また、バス1724は、タイミングソース、周辺機器、電圧レギュレータ、および電力管理回路などの様々な他の回路をつなぎ得るが、これらの回路は当技術分野でよく知られており、したがって、これらの回路についてはこれ以上説明しない。
【０１３６】
処理システム1714は、トランシーバ1710に結合されてもよい。トランシーバ1710は1つまたは複数のアンテナ1720に結合される。トランシーバ1710は、送信媒体を通じて様々な他の装置と通信するための手段を与える。トランシーバ1710は、1つまたは複数のアンテナ1720から信号を受信し、受信された信号から情報を抽出し、抽出された情報を処理システム1714に、特に受信構成要素1604に提供する。加えて、トランシーバ1710は、処理システム1714から、特に送信構成要素1610から情報を受信し、受信された情報に基づいて、1つまたは複数のアンテナ1720に印加されるべき信号を生成する。処理システム1714は、コンピュータ可読媒体/メモリ1706に結合されたプロセッサ1704を含む。プロセッサ1704は、コンピュータ可読媒体/メモリ1706上に記憶されたソフトウェアの実行を含む全体的な処理を担当する。ソフトウェアは、プロセッサ1704によって実行されたとき、任意の特定の装置に対して、上記に記載された様々な機能を処理システム1714に実行させる。コンピュータ可読媒体/メモリ1706は、ソフトウェアを実行するときにプロセッサ1704によって操作されるデータを記憶するためにも使用されることがある。処理システム1714は、構成要素1604、1606、1608、1610のうちの少なくとも1つをさらに含む。構成要素は、プロセッサ1704の中で実行するソフトウェア構成要素であるか、コンピュータ可読媒体/メモリ1706の中に常駐する/記憶されるか、プロセッサ1704に結合された1つもしくは複数のハードウェア構成要素であるか、またはそれらの何らかの組合せであってもよい。処理システム1714は、UE350の構成要素であってもよく、メモリ360、ならびに/またはTXプロセッサ368、RXプロセッサ356、およびコントローラ/プロセッサ359のうちの少なくとも1つを含んでもよい。
【０１３７】
一構成では、ワイヤレス通信のための装置1602/1602'は、サブフレーム内でバンドルされた少なくとも2つのサブスロット内で搬送される第2のタイプのデータまたは制御情報を受信するための手段を含み、第2のタイプのデータまたは制御情報は、第1のタイプのデータまたは制御情報内に刺し込まれる。サブフレームは、第2のタイプのデータまたは制御情報に関連するACK/NACK情報を搬送するための部分を含み得る。装置1602/1602'は、バンドルされた少なくとも2つのサブスロット内で搬送される第2のタイプのデータまたは制御情報に対するACK/NACK情報を決定するための手段をさらに含み得る。装置1602/1602'は、ACK/NACK情報を搬送するためのサブフレームの部分の間にACK/NACK情報を送るための手段をさらに含み得る。
【０１３８】
一態様では、装置1602/1602'は、ACK/NACK情報が否定応答を示すときに再スケジュールされたサブスロットの間に第2のタイプのデータまたは制御情報を受信するための手段を含み得る。一態様では、ACK/NACK情報は、eMBBアップリンクコモンバーストチャネル上で搬送される。一態様では、第1のタイプのデータはeMBBに関連付けられ、第2のタイプのデータはURLLCに関連付けられる。
【０１３９】
上述の手段は、上述の手段によって記載された機能を実行するように構成された、装置1602の上述の構成要素および/または装置1602'の処理システム1714のうちの1つまたは複数であってよい。上記で説明したように、処理システム1714は、TXプロセッサ368と、RXプロセッサ356と、コントローラ/プロセッサ359とを含む場合がある。したがって、一構成では、上述の手段は、上述の手段によって列挙された機能を実施するように構成されたTXプロセッサ368、RXプロセッサ356、およびコントローラ/プロセッサ359であってもよい。
【０１４０】
さらなる開示は付属書類の中に含まれる。
【０１４１】
開示されたプロセス/フローチャートにおけるブロックの特定の順序または階層が例示的な手法の一例であることを理解されたい。設計上の選好に基づいて、プロセス/フローチャートにおけるブロックの特定の順序または階層が再構成されることがあることを理解されたい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１４２】
上述の説明は、本明細書で説明された様々な態様を当業者が実践できるようにするために提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」として説明するいかなる態様も、必ずしも他の態様よりも好ましいまたは有利なものと解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語は、「手段」という単語の代用で
はないことがある。したがって、いかなるクレーム要素も、その要素が「のための手段」という語句を使用して明確に列挙されていない限り、ミーンズプラスファンクションとして解釈されるべきではない。
【符号の説明】
【０１４３】
100  アクセスネットワーク
102  基地局、第1の基地局
102'  スモールセル
104  ユーザ機器(UE)
110  地理的カバレッジエリア
110'  カバレッジエリア
120  通信リンク
132  バックホールリンク
134  バックホールリンク
150  Wi-Fiアクセスポイント(AP)
152  Wi-Fi局
154  通信リンク
160  発展型パケットコア(EPC)
162  モビリティ管理エンティティ(MME)
164  MME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  ミリメートル波(mmW)基地局
182  UE
184  ビームフォーミング
198  サブスロット
200  図
230  図
250  図
280  図
310  基地局
316  送信(TX)プロセッサ
318  送信機、受信機
320  アンテナ
350  UE
352  アンテナ
354  受信機、送信機
356  受信(RX)プロセッサ
358  チャネル推定器
359  コントローラ/プロセッサ
360  メモリ
368  TXプロセッサ
370  RXプロセッサ
374  チャネル推定器
375  コントローラ/プロセッサ
376  メモリ
400  ワイヤレス通信システム
402  第1の基地局
404  第2の基地局
406a  UE
406b  UE
406c  UE
406d  UE
408  第1のUE
410  セル
412  セル
420  第2のタイプのデータまたは制御情報
422  肯定応答(ACK)/否定応答(NACK)情報
424  再スケジュールされた第2のタイプのデータまたは制御情報
440  情報
442  第1のタイプのデータまたは制御情報
500  サブフレーム構造
508  超高信頼低遅延(URLLC)セル
510  自己完結型サブフレーム
512a  第1の高度化モバイルブロードバンド(eMBB)部分
512b  介在するeMBB部分
514  URLLC部分
516  ギャップ
518  ACK/NACK情報を搬送するための部分、ACK/NACK部分
520  ACK/NACK情報
522  アップリンクコモンバースト(UCB)チャネル
540  URLLCパケット
600  サブスロット構成
602  eMBB/URLLCセル
604  eMBBセル
606  サブフレーム
608  サブフレーム
612a  第1のeMBB部分
612b  第2のeMBB部分
614  ギャップ
616  UCBチャネルを搬送するための個別の部分
620  自己完結型サブスロット
622  データまたは制御情報を搬送するための第1の部分
624  ギャップである第2の部分
626  ACK/NACK情報を搬送するための第3の部分
630  UCBチャネル
640  URLLCパケット
642  干渉
700  サブスロット構成
702  URLLCセル
710  サブフレーム
718  データおよび/または制御情報が搬送される部分
720  バンドル
722a  サブスロット
722b  サブスロット
722c  サブスロット
722d  サブスロット
724  ギャップ
726  ACK/NACK情報が搬送される部分
730  ACK/NACK情報
740  URLLCパケット
742  刺し込み
800  サブスロット構成
802  URLLC/eMBBセル
804  eMBBセル
806a  データまたは制御情報を搬送するための第1の部分
806b  第1の部分
810  サブフレームt
812  サブフレームt+1
818  データまたは制御情報を搬送するための第1の部分
820  バンドルされたサブスロット
824  ギャップ
826  ギャップ
830  NACK
832  ACK/NACK情報を搬送するための第3の部分
834  ACK/NACK情報を搬送するための第3の部分
840  URLLCパケット
850  サブスロット
860  UCBチャネル
1200  概念データフロー図
1202  装置
1202'  装置
1204  受信構成要素
1206  スケジューリング構成要素
1208  コンテンツ構成要素
1210  送信構成要素
1212  同期構成要素
1250  UE
1260  基地局
1300  図
1304  プロセッサ
1306  コンピュータ可読媒体/メモリ
1310  トランシーバ
1314  処理システム
1320  アンテナ
1324  バス
1400  概念データフロー図
1402  装置
1402'  装置
1404  受信構成要素
1406  ACK/NACK構成要素
1408  同期構成要素
1410  送信構成要素
1412  電力構成要素
1450  UE
1460  隣接する基地局
1470  第2のUE
1600  概念データフロー図
1602  装置
1602'  装置
1604  受信構成要素
1606  コンテンツ構成要素
1608  ACK/NACK構成要素
1610  送信構成要素
1650  第1の基地局
1660  隣接する基地局
1700  図
1704  プロセッサ
1706  コンピュータ可読媒体/メモリ
1710  トランシーバ
1714  処理システム
1720  アンテナ
1724  バス
【図１】
2020502903.tif 000003
【図２Ａ】
2020502903.tif 000004
【図２Ｂ】
2020502903.tif 000005
【図２Ｃ】
2020502903.tif 000006
【図２Ｄ】
2020502903.tif 000007
【図３】
2020502903.tif 000008
【図４】
2020502903.tif 000009
【図５】
2020502903.tif 000010
【図６】
2020502903.tif 000011
【図７】
2020502903.tif 000012
【図８】
2020502903.tif 000013
【図９】
2020502903.tif 000014
【図１０】
2020502903.tif 000015
【図１１】
2020502903.tif 000016
【図１２】
2020502903.tif 000017
【図１３】
2020502903.tif 000018
【図１４】
2020502903.tif 000019
【図１５】
2020502903.tif 000020
【図１６】
2020502903.tif 000021
【図１７】
2020502903.tif 000022
【国際調査報告】
2020502903.tif 000023
2020502903.tif 000024
2020502903.tif 000025
2020502903.tif 000026